(57)【特許請求の範囲】
【請求項１】
操作板と、前記操作板の二次元の接触位置をセンサ部を用いて検出する位置検出回路と、前記操作板の下方への変位をＯＮ／ＯＦＦの切替で検出するスイッチ回路と、前記スイッチ回路がＯＮした後さらに前記操作板が下方へ変位したことを電界の放射および吸収により検出する変位検出回路と、前記位置検出回路と前記スイッチ回路と前記変位検出回路に電気的に接続された制御回路とを備え、
前記変位検出回路は、前記スイッチ回路の側方にあたる位置に配されて前記操作板の下方への変位に応じて下方に移動する可動電極と、前記可動電極に上下で対向する固定電極とを有することを特徴とする多段スイッチ。
【請求項２】
電界の吸収を検出する補正電極をさらに前記スイッチ回路の側方にあたる位置に設け、前記制御回路が前記変位検出回路で吸収された電界の量を前記補正電極で吸収した電界の量で補正し、前記操作板の下方への変位を認識する請求項１に記載の多段スイッチ。
【請求項３】
前記スイッチ回路は、プッシュスイッチと弾性板とを有し、前記プッシュスイッチは前記操作板の下方への移動に応じて前記弾性板を介して押圧される請求項１に記載の多段スイッチ。
【請求項４】
前記弾性板の反発力は、前記プッシュスイッチの復帰力よりも大きい請求項３に記載の多段スイッチ。
【発明の詳細な説明】
【技術分野】
【０００１】
本発明は、主に各種電子機器の操作に用いられる多段スイッチに関するものである。
【背景技術】
【０００２】
近年、車両のカーナビゲーションシステムやオーディオシステムなどの操作には、パネルの上面等に表示された複数のスイッチ部を押圧操作する多段スイッチをステアリングホイールなどに取り付けられたものが広く用いられている。
【０００３】
このような従来の多段スイッチについて、図７および図８を用いて説明する。
【０００４】
図７は従来の多段スイッチの断面図、図８は同分解斜視図であり、同図において、配線基板１上面には、マイコンなどの制御回路２、ＬＥＤなどの発光素子３、プッシュスイッチ４が実装され、配線基板１上下面の配線により発光素子３、プッシュスイッチ４が制御回路２に接続されている。
【０００５】
また、配線基板１上方に樹脂製の保持板５が設けられ、保持板５の上方に同じく樹脂製の可動板６が配置されている。そして、配線基板１、保持板５、可動板６は、下カバー７上に配置される。
【０００６】
ここで、保持板５には複数の貫通孔５Ａが、可動板６にも貫通した透過窓６Ａが設けられ、発光素子３からの光が通過するよう構成されている。
【０００７】
また、棒状の軸８が可動板６の一端に挿入され、下カバー７に設けられた軸受７Ａに軸８の両端が保持され、可動板６が軸８を支点として傾動可能に構成されている。また、この可動板６の傾動によりプッシュスイッチ４が押圧され、ＯＮ／ＯＦＦの切替が可能な構成となっている。
【０００８】
そして、可動板６に設けられた透過窓６Ａの上方にタッチセンサ９が配置され、タッチセンサ９の上方には表示板１０が配置される。なお、このタッチセンサ９から延出した配線ケーブル９Ａは配線基板１の制御回路２に接続され、制御回路２でタッチセンサ９が操作者に押圧検知されたことを検知可能なよう構成されている。
【０００９】
また、表示板１０には複数の操作部１０Ａが設けられると共に、操作部１０Ａの近傍には透光部１０Ｂが設けられている。
【００１０】
そして、上カバー１１が表示板１０を孔部１１Ａから露出させるよう覆って、多段スイッチ１５が構成されている。
【００１１】
このように構成された多段スイッチ１５は車両のステアリングホイール（図示せず）上面に表示板１０を露出させて配置されると共に、車両のエアコンやオーディオシステムを制御する制御機器（図示せず）に接続される。
【００１２】
そして、操作者が表示板１０上の複数の操作部１０Ａから一つを触れるように操作すると、タッチセンサ９の押圧位置を制御回路２が検出すると共に、制御回路２が操作した操作部１０Ａに対応した発光素子３を発光し、操作した操作部１０Ａ近傍の透光部１０Ｂが発光する。そして、さらに操作者が表示板１０を押し込むと、可動板６が傾動し、プッシュスイッチ４がＯＮして、制御回路２は、多段スイッチ１５に接続された制御機器に操作した操作部９Ａに対応した信号を出力する。
【００１３】
つまり、多段スイッチ１５は操作部１０Ａに接触すると検出されるタッチセンサ９と、更に押し込んでＯＮするプッシュスイッチ４で二段のスイッチを構成しており、一つのタッチセンサ９と一つのプッシュスイッチ４を用いた簡易な構成で複数の操作部１０Ａのいずれが押圧操作されたか検知可能なものであった。
【００１４】
なお、この出願の発明に関連する先行技術文献情報としては、例えば、特許文献１が知られている。
【先行技術文献】
【特許文献】
【００１５】
【特許文献１】特開２００９−１３５０５９号公報
【発明の概要】
【発明が解決しようとする課題】
【００１６】
前記従来の多段スイッチ１５においては、タッチセンサ９とプッシュスイッチ４を用い、二段階の押圧状態を検出することが出来たが、多段スイッチ１５に接続される制御機器の機能は複雑になってきており、従来の多段スイッチ１５では、制御機器に対し多様な制御をさせることが困難になってきている、という課題があった。
【００１７】
本発明は、このような従来の課題を解決するものであり、押圧による押込み量を反映した多様な操作を行いうる多段スイッチを提供することを目的とする。
【課題を解決するための手段】
【００１８】
前記目的を達成するために本発明は、以下の構成を有するものである。
【００１９】
本発明の請求項１記載の発明は、スイッチ回路がＯＮした後さらに操作板が下方へ変位したことを電界の放射および吸収により検出する変位検出回路をスイッチ回路の側方にあたる位置に設けるもので、この変位検出回路により操作板の押込み量を検出することが出来るため、押込み量を反映した多様な操作を行いうる多段スイッチを提供することができるという作用を有する。
【００２０】
請求項２記載の発明は、請求項１記載の発明において、電界の吸収を検出する補正電極をさらに前記スイッチ回路の側方にあたる位置に設け、前記制御回路が前記変位検出回路で吸収された電界の量を補正電極で吸収した電界の量で補正し、前記操作板の下方への変位を認識するもので、多段スイッチ外部からの電磁ノイズの影響を低減することが出来るため、検出精度の高い多段スイッチを提供することができるという作用を有する。
請求項３記載の発明は、請求項１記載の発明において、前記スイッチ回路は、プッシュスイッチと弾性板とを有し、前記プッシュスイッチは前記操作板の下方への移動に応じて前記弾性板を介して押圧されるものである。請求項４記載の発明は、請求項３記載の発明において、前記弾性板の反発力は、前記プッシュスイッチの復帰力よりも大きいものであり、弾性板を選択して使用することによって、操作板を押し下げた際に押込み量に応じて多様な押圧状態のものが得られるという作用を有する。
【発明の効果】
【００２１】
以上のように本発明によれば、押圧による押込み量を反映した多様な操作を行いうる多段スイッチを実現することができるという有利な効果が得られる。
【図面の簡単な説明】
【００２２】
【図１】本発明の一実施の形態による多段スイッチの分解斜視図
【図２】同多段スイッチの断面図
【図３】同多段スイッチの動作状態を示す断面図
【図４】同多段スイッチの動作状態を示す断面図
【図５】表示機器の画面図
【図６】本発明の一実施の形態による多段スイッチの上面図
【図７】従来の多段スイッチの断面図
【図８】同多段スイッチの分解斜視図
【発明を実施するための形態】
【００２３】
以下、本発明の実施の形態について、図１〜図６を用いて説明する。
【００２４】
なお、これらの図面は構成を判り易くするために、部分的に寸法を拡大して表している。
【００２５】
また、背景技術の項で説明した構成と同一構成の部分には同一符号を付して、詳細な説明を簡略化する。
【００２６】
（実施の形態）
図１は本発明の一実施の形態による多段スイッチの分解斜視図、図２は同断面図であり、同図において、上下面に配線パターンが形成された略円形の配線基板２１の上面には、略中央にプッシュスイッチ２２が配置され、プッシュスイッチ２２を挟んで左右に固定電極２３Ａ、補正電極２３Ｂが配置されている。なお、プッシュスイッチ２２は特許請求の範囲に記載したスイッチ回路の一形態である。
【００２７】
ここで、プッシュスイッチ２２は押圧すると節度感が生じてＯＮし、離すとＯＦＦに自動復帰するスイッチである。また、固定電極２３Ａ、補正電極２３Ｂは共に円形の電極を環状の電極で囲んで形成されている。
【００２８】
また、配線基板２１の下面にはマイコン等の半導体素子で構成された制御回路２４が配置され、制御回路２４の左側にコネクタ２５が配置されている。そして、これらのプッシュスイッチ２２、固定電極２３Ａ、補正電極２３Ｂ、コネクタ２５は配線基板２１の配線パターンを介して制御回路２４に電気的に接続されている。
【００２９】
そして下面開口の円柱箱状の固定カバー２６は、同じく下面開口の円柱箱状の可動カバー２７に嵌合し、さらに電極基板２８が可動カバー２７に対し一体となり、可動カバー２７と電極基板２８が、固定カバー２６上で上下動可能なように構成されている。
【００３０】
ここで、固定カバー２６は、左右側面に断面視台形状に突出したガイド部２６Ａを備えており、それぞれのガイド部２６Ａの上面には角孔２６Ｂが設けられている。また、固定カバー２６の上面の中央に円孔２６Ｃが、円孔２６Ｃの右側に角孔２６Ｄが設けられている。
【００３１】
また、可動カバー２７の内壁の左右両端にはガイド部２６Ａと対向して、ガイド溝２７Ａが設けられている。さらに固定カバー２６と嵌合させた際に左右の角孔２６Ｂの上方に相当する位置に角孔２７Ｂが設けられている。そして、可動カバー２７の内側に、略中央に設けられた円柱状に突出した押圧部２７Ｃが、押圧部２７Ｃの右方には略直方体状に内側に突出した突部２７Ｄが設けられている。
【００３２】
また、電極基板２８は、中央に略円形のセンサ部２８Ａを、その左右に帯状の配線部２８Ｂ、２８Ｃを備えたフレキシブルプリント基板である。ここで、配線部２８Ｂの先端には複数の端子が露出した端子部２８Ｄを備えている。また、配線部２８Ｃの先端には可動電極２８Ｅが、センサ部２８Ａの上面には角形の複数の電極２８Ｆが格子状に設けられている。そして、可動電極２８Ｅ、複数の電極２８Ｆは電極基板２８内の配線を介して、端子部２８Ｄの複数の端子にそれぞれ接続されている。なお、電極２８Ｆは、特許請求の範囲に記載した位置検出回路の一形態である。
【００３３】
そして、可動カバー２７のガイド溝２７Ａを固定カバー２６のガイド部２６Ａにスライドさせ、可動カバー２７と固定カバー２６を組み合わせる。ここで、押圧部２７Ｃが円孔２６Ｃに、突部２７Ｄが角孔２６Ｄに挿入される。
【００３４】
また、配線部２８Ｂが角孔２７Ｂ、角孔２６Ｂを貫通して固定カバー２６内部に挿入されると共に、その先端の端子部２８Ｄが配線基板２１下面のコネクタ２５に挿入される。さらに、配線部２８Ｃも角孔２７Ｂ、角孔２６Ｂを貫通して固定カバー２６内部に挿入される。
【００３５】
さらに、係止部材２９は、断面が略コの字状で絶縁樹脂などを材料としており、可動電極２８Ｅの下方から突部２７Ｄに嵌合され、可動電極２８Ｅを突部２７Ｄに固定している。
【００３６】
ここで、可動電極２８Ｅは、固定電極２３Ａの上方に配置される。そして、可動電極２８Ｅと固定電極２３Ａから静電式の変位検出回路２８１が構成されている。
【００３７】
また、略円柱形状で弾性を備えた弾性板３０はプッシュスイッチ２２と押圧部２７Ｃの間に挟みこまれて配置される。
【００３８】
そして、これらが上面開口で円柱箱状の下カバー３１内に挿入され、略円形の操作板３２で、電極基板２８を可動カバー２７に固定して多段スイッチ４０が構成されている。
【００３９】
つまり、操作者が操作板３２を押圧すると、可動カバー２７が下に移動し、押圧部２７Ｃが弾性板３０を介してプッシュスイッチ２２を押圧し、プッシュスイッチ２２がＯＮすることが可能なように構成されている。
【００４０】
また、操作者がさらに操作板３２を押圧すると、弾性板３０が圧縮され、可動電極２８Ｅがさらに固定電極２３Ａに近づくよう構成されている。また、ここで、操作板３２への押圧力が無くなると、弾性板３０が元の厚みに戻り、操作板３２が押圧前の位置に自動復帰するよう構成されている。
【００４１】
このように構成された多段スイッチ４０は、車両のステアリングホイール（図示せず）に、操作板３２を上面に露出させて配置される。そして、車両のディスプレイ装置（図示せず）、空調制御機器（図示せず）、オーディオ装置（図示せず）などに接続され、操作者は多段スイッチ４０を操作して空調制御機器や、オーディオ装置などに所望の動作をさせるものとなっている。
【００４２】
ここで、図２〜図４の断面図を用いて、多段スイッチ４０の動作について説明する。
【００４３】
まず、図２は多段スイッチ４０を押圧していないときの断面図で、同図において弾性板３０は押圧部２７Ｃとプッシュスイッチ２２の間に挟まれ、プッシュスイッチ２２はＯＦＦの状態になっている。
【００４４】
そして、制御回路２４はプッシュスイッチ２２がＯＦＦの状態であることを検出している。
【００４５】
次に、図３の断面図を用いて、操作板３２の点Ａの位置が押圧された際の多段スイッチ４０の動作を説明する。
【００４６】
まず、操作者が操作板３２の点Ａの位置に指で接触すると、格子状に配列された電極２８Ｆそれぞれで放射および吸収された電界により、指が検出され、点Ａの位置を電極２８Ｆに電気的に接続された制御回路２４が認識する。なお、操作者が操作板３２に接触しただけで、点Ａの認識が行われ、特に操作板３２を押圧する必要はない。
【００４７】
なお、操作者が操作板３２上で指を接触しながらスライドした場合には、格子状に配列された電極２８Ｆそれぞれから放射された電界により、スライド後の指の位置が順次、制御回路２４により認識される。これにより、操作者が操作板３２上で行った操作が制御回路２４により認識される。
【００４８】
次に、操作者が操作板３２の点Ａの位置に指を接触したまま、操作板３２を押圧して押し込むと、可動カバー２７が固定カバー２６に対し、ガイド部２６Ａがガイド溝２７Ａにガイドされ、下方に移動する。
【００４９】
ここで、弾性板３０の反発力は、プッシュスイッチ２２の復帰力より大きくなるよう、予め弾性板３０の材料あるいは構造が決定されている。これにより、操作板３２が押圧された当初の弾性板３０の厚みの変位は小さく、プッシュスイッチ２２が押圧されてＯＮする。そして、プッシュスイッチ２２がＯＮしたことは制御回路２４により認識される。
【００５０】
また、突部２７Ｄの下端に配置された可動電極２８Ｅは、可動カバー２７の下方への移動に従って下方に移動し、固定電極２３Ａとの間隔が小さくなる。ここで、固定電極２３Ａからは電界が放射および吸収されており、可動電極２８Ｅとの間隔が小さくなったことを固定電極２３Ａに接続された制御回路２４が吸収した電界から認識する。
【００５１】
さらに、図４の断面図を用いて、図３の断面図の状態から、操作板３２の点Ａの位置を押圧した際の多段スイッチ４０の動作を説明する。
【００５２】
ここで、操作者が指で操作板３２の点Ａの位置を弾性板３０の反発力より強い力でさらに押圧すると、弾性板３０が押圧部２７Ｃとプッシュスイッチ２２の間で圧縮される。
【００５３】
そして、可動カバー２７が固定カバー２６に対し、ガイド部２６Ａがガイド溝２７Ａにガイドされ、さらに下方に移動する。これに伴い、可動電極２８Ｅは固定電極２３Ａに接近し、制御回路２４が認識する。
【００５４】
ここで、制御回路２４は、可動電極２８Ｅと固定電極２３Ａとの間の距離が小さくなるほど、固定電極２３Ａが吸収する電界が小さくなるため、可動電極２８Ｅと固定電極２３Ａの接近度合いを多段階で認識する。このため、例えば制御回路２４には、内部にＲＯＭやＲＡＭなどの不揮発性の記憶素子が設けられ、この記憶素子に、可動電極２８Ｅと固定電極２３Ａとの間の距離に対応した電界の吸収量に対しての閾値が記憶されている。そして制御回路２４で記憶素子に保存された閾値と固定電極２３Ａで検出した電界の吸収量を比較し、可動電極２８Ｅと固定電極２３Ａとの間の距離を多段階で検出する。
【００５５】
また、多段スイッチ４０の外部から車両の電磁ノイズを受けた場合には、固定電極２３Ａから電磁ノイズが吸収されることがある。固定電極２３Ａから吸収される電磁ノイズが大きい場合には、制御回路２４で検出する可動電極２８Ｅと固定電極２３Ａとの間の距離に誤差が生じる。
【００５６】
そこで、補正電極２３Ｂが吸収する電界の量を制御回路２４は検出する。ここで、補正電極２３Ｂと固定電極２３Ａが受ける電磁ノイズの影響は、ほぼ同等であるので、固定電極２３Ａが吸収した電界の量を補正電極２３Ｂが吸収した電界の量で補正することにより、多段スイッチ４０の外部から受ける車両の電磁ノイズの影響を減少させている。
【００５７】
そして、図４の状態から、操作者が点Ａの位置を押圧している指を離すと、弾性板３０の反発力により図２の状態に復帰する。
【００５８】
このような動作を行う多段スイッチ４０は、例えば車両のカーナビゲーションシステム、オーディオシステム、空調システムなどの操作に用いられる。図５の画像図で示すのは、多段スイッチ４０が接続されたカーナビゲーションシステムの液晶ディスプレイなどの表示装置の表示の一例である。同図は、操作者が車両を運転して向かおうとする目的地の設定画面となる目的地入力表示４１を示している。
【００５９】
同図において、目的地入力表示４１には、例えば「ひらがな」などの入力可能な文字を示す複数の入力ボタン４２が所定の順序で並んで表示される。また、矢印などの形状のカーソル４３が入力ボタン４２に重ねて表示される。そして、入力表示部４４には、操作者が多段スイッチ４０を操作することによりカーソル４３が移動し、選択が確定した入力ボタン４２に対応した文字が表示される。
【００６０】
ここで、操作者が多段スイッチ４０を用いて、所望の入力ボタン４２の選択を確定するには下記の操作１、操作２の二通りの操作方法がある。
【００６１】
まず操作１について説明すると、例えば操作者が操作板３２上を指で接触し、指をその位置から右にスライドさせると、それに伴い、カーソル４３も右に移動する。同様に、カーソル４３を移動させたい方向に、操作者が指をスライドさせると、それに伴いカーソル４３が移動する。
【００６２】
操作者は、所望の入力ボタン４２の位置にカーソル４３を移動することで、入力する文字を選択できる。そして、操作者が操作板３２を指で押し込むと、可動カバー２７が下方に移動し、プッシュスイッチ２２がＯＮすると共にプッシュスイッチ２２による節度感が生じる。
【００６３】
そして、操作者が操作板３２から指を離すとプッシュスイッチ２２がＯＦＦし、これにより入力する文字が確定し、入力表示部４４に入力される。
【００６４】
次に操作２について説明するが、この操作２ではプッシュスイッチ２２をＯＮさせた後に、操作板３２を更に押し込んで、カーソル４３を移動する点が操作１と異なる。
【００６５】
ここで、図６の上面図で示すように、例えば操作者が操作板３２の中央Ｂより右寄りの点Ｃの位置を指で押圧すると、制御回路２４が点Ｃの位置を検出する。ここで、操作者が操作板３２を押し込むと、プッシュスイッチ２２がＯＮすると共に節度感が生じる。なお、プッシュスイッチ２２がＯＮするまでは、操作者が指をスライドさせなければカーソル４３は移動しない。
【００６６】
そして、プッシュスイッチ２２がＯＮした状態で、さらに操作者が操作板３２を押し込むと、可動電極２８Ｅと固定電極２３Ａとの間の距離が可動カバー２７の下方向への移動に伴い小さくなる。そして、可動電極２８Ｅと固定電極２３Ａとの間の距離を多段階で制御回路２４が認識し、可動電極２８Ｅと固定電極２３Ａとの間の距離が近づくほど、速い移動速度で右方向へカーソル４３が移動する。
【００６７】
なお、ここで右方向へカーソル４３が移動するのは、操作者が押圧した位置が操作板３２の中央Ｂより右寄りの点Ｃの位置であるからで、例えば操作板３２の中央Ｂより前寄りの点Ｄの位置であればカーソル４３は上方向に移動し、左後ろ寄りの点Ｅの位置であればカーソル４３は左下方向に移動する。
【００６８】
そして、操作者が入力したい文字に対応した入力ボタン４２が選択されるようカーソル４３を移動し、操作板３２から指を離すと、プッシュスイッチ２２がＯＦＦすることにより、入力する文字が確定し、入力表示部４４に入力される。
【００６９】
つまり、操作２によれば、操作板３２の押圧位置に従って、表示画面上でカーソル４３が移動し、操作板３２の押圧による下方への変位量が大きくなればなるほど速くカーソル４３が移動する。
【００７０】
また、プッシュスイッチ２２がＯＮした際に節度感が生じるので、操作者はさらに操作板３２を押し込むことによりカーソル４３が移動することを認識できるため、確実な操作が可能となる。
【００７１】
すなわち、多段スイッチ４０を用いることにより、操作１および操作２の二通りの操作が可能になり、従来に比べ多様な操作が可能なものとなっている。
【００７２】
なお、多段スイッチ４０を構成する各部品の材料として、固定カバー２６、可動カバー２７、係止部材２９、下カバー３１、操作板３２は、絶縁樹脂を材料とするのが好ましく、アクリロニトリルブタジエンスチレン共重合合成樹脂、ポリアセタール、ポリメタクリル酸メチル樹脂などが適している。
【００７３】
また、弾性板３０はゴムなどの弾性を備えた材料で形成されても良いし、バネなどで構成することも可能である。
【００７４】
また、前記説明によれば、位置検出回路として、電界の放射および吸収により指などを検出する静電式の電極２８Ｆを一例として説明したが、本発明はこれに限定されるものでなく、磁界により位置を検知する導磁式の検出回路や、抵抗膜式の検出回路によっても発明の実施は可能である。
【００７５】
さらに、スイッチ回路として、プッシュスイッチ２２を例にとり説明したが、操作板３２の変位を検出し、節度感を生じるものであれば置き換え可能であり、例えばスライド式のスイッチでも良い。
【００７６】
また、変位検出回路２８１は、固定電極２３Ａから電界を放射し、同じく固定電極２３Ａで電界の吸収も行うものとして説明したが、可動電極２８Ｅで電界の放射および吸収を行うように構成することも可能で、また、電界の放射、吸収を固定電極２３Ａと可動電極２８Ｅで別々に行うものとしても良い。
【００７７】
さらに、固定電極２３Ａや補正電極２３Ｂの構成として円形の電極を環状の電極で囲んで形成されるものとして説明したが、形状は、電界の放射あるいは吸収が可能であれば、どのような形状でも本発明の実施は可能である。
【００７８】
このように本実施の形態によれば、スイッチ回路となるプッシュスイッチ２２がＯＮした後さらに操作板３２が下方へ変位したことを電界の放射および吸収により検出する変位検出回路２８１を設けるもので、変位検出回路２８１により操作板３２の押込み量を検出することが出来るため、押込み量を反映した多様な操作を行いうる多段スイッチ４０を提供することができる。
【００７９】
また、電界の吸収を検出する補正電極２３Ｂをさらに備え、制御回路２４が変位検出回路２８１で吸収された電界の量を補正電極２３Ｂで吸収した電界の量で補正し、操作板３２の変位を認識するもので、多段スイッチ４０外部からの電磁ノイズの影響を低減することが出来るため、検出精度の高い多段スイッチ４０を提供することができる。
【産業上の利用可能性】
【００８０】
本発明による多段スイッチは、押圧による押込み量を反映した多様な操作を行いうるという有利な効果を有し、主に各種電子機器の操作用として有用である。
【符号の説明】
【００８１】
２１  配線基板
２２  プッシュスイッチ
２３Ａ  固定電極
２３Ｂ  補正電極
２４  制御回路
２５  コネクタ
２６  固定カバー
２６Ａ  ガイド部
２６Ｂ、２６Ｄ  角孔
２６Ｃ  円孔
２７  可動カバー
２７Ａ  ガイド溝
２７Ｂ  角孔
２７Ｃ  押圧部
２７Ｄ  突部
２８  電極基板
２８Ａ  センサ部
２８Ｂ、２８Ｃ  配線部
２８Ｄ  端子部
２８Ｅ  可動電極
２８Ｆ  電極
２９  係止部材
３０  弾性板
３１  下カバー
３２  操作板
４０  多段スイッチ
４１  目的地入力表示
４２  入力ボタン
４３  カーソル
４４  入力表示部
２８１  変位検出回路
【図１】
0005682295.tif 000002
【図２】
0005682295.tif 000003
【図３】
0005682295.tif 000004
【図４】
0005682295.tif 000005
【図５】
0005682295.tif 000006
【図６】
0005682295.tif 000007
【図７】
0005682295.tif 000008
【図８】
0005682295.tif 000009